(57)【要約】【構成】廃棄物を投棄する埋立ピットを覆う角錐形状の屋根設備において、長尺細幅シート２１の一端部に適宜間隔でフック２３としてのリング状ランナー２２を設け、他端部にはフック２３を有する弾性材からなる紐２４、シート等を設け、該長尺細幅シート２１を格子状に編んで被覆用シート１８を形成し、前記リング状ランナー２２を屋根設備の棒状案内部材に挿通して移動自在に設け、他端部のフック２３を床面に横架した横桟２０に取り付けてなる廃棄物処分場を覆う屋根設備及びその構築方法。【効果】廃棄物処分場を覆う屋根設備の高さを自由に調整でき、さらに、廃棄物処分場を覆う屋根設備に対して、格子状に編んだ被覆用シートのため、換気および維持管理施設とが小規模で良いので設備費が廉価である。また、埋立ピットの設置場所の制約をうけることがなく、寒冷地、天井高さの制限にも簡単に対応できる。【選択図】      図１
2004344838.tif 000002
【特許請求の範囲】
【請求項１】
廃棄物を投棄する埋立ピットを覆う角錐形状の屋根設備において、長尺細幅シートの一端部に適宜間隔でフックとしてのリング状ランナーを設け、他端部にはフックを有する弾性材からなる紐、シート等を設け、該長尺細幅シートを格子状に編んで被覆用シートを形成し、前記リング状ランナーを屋根設備の棒状案内部材に挿通して移動自在に設け、他端部のフックを床面に横架した横桟に取り付けてなることを特徴とする廃棄物処分場を覆う屋根設備。
【請求項２】
先ず、長尺細幅シートの一端部に適宜間隔でフックとしてのリング状ランナーを設け、他端部にフックを有する弾性材の紐、シート等を取り付け、これを格子状に編み上げたならば、その編み上げた被覆用シートのリング状ランナーを角錐形状の各面の端部に形成した屋根設備の棒状案内部材に挿通して設け、他端部に取り付けた弾性材からなる紐、シート等の先端に設けたフックを床面に横架した横桟に取り付け、被覆用シートを前記角錐形状の屋根設備に設けた中央柱を案内に上下動させて、ピラミッド形状の屋根を構築することを特徴とする廃棄物処分場を覆う屋根設備の構築方法。
【発明の詳細な説明】
【０００１】
【発明の属する技術分野】
本発明は、廃棄物処分場の内面に、石灰系の固化剤を混入した泥を塗着して不透水層を形成し、廃棄物は全て処分の度に石灰系の薬剤で安定化してから投入し、重機等により踏み固めて汚水が地下に浸透しない不透水層とし、この作業を繰り返してグランドレベル迄埋立て、その上部を改質・安定化廃棄物を利用した盛土により埋立てた廃棄物処分場の埋立作業に必要な空間を確保して埋立地である廃棄物処分場を覆う建築構造物である屋根設備に関するものである。
【０００２】
【従来の技術】
従来は、廃棄物処分場を被覆する施設である建築構造物として、地上に突出する形状となるため、周辺環境との調和を図るように配慮したもので、固定式として常時外界と遮断するテント式のアーチ、トラス、ラーメン、スペースフレーム、シェル、サスペンション、ハイブリッド等の設備と、これらを開閉式として必要に応じて降雨および日射の侵入、大気の移動を許して環境を制御する方式とかがあるが、その一例として、廃棄物を投棄する埋立てピットの両側に、隣接する組立ヤードに跨る区間に亘り走行レールを敷設したならば、前記組立ヤードにおいて走行レール上に収縮状態で蛇腹式テント屋根構造物を組み立てるとともに、該蛇腹式テント屋根構造物の内部にフレームを利用して被覆用遮水シートを取付け、次いで前記蛇腹式テント屋根構造物を前記走行レール方向に伸長させると同時に、前記被覆用遮水シートを展張し、前記埋立てピットを覆う屋根体を構築する屋根設備の構築工程と、前記埋立てピット内に廃棄物を投棄し埋め立てを行う埋立て処理工程と、埋立てピット内に廃棄物の投棄を終えたならば、前記被覆用遮水シートを蛇腹式テント屋根構造物から切り離し、埋立て領域を被覆する遮水シートを敷設する被覆処理工程と、前記蛇腹式テント屋根構造物を収縮し撤去するとともに、前記被覆用遮水シートの上面に覆土を行う埋立て最終処理工程と、からなることを特徴とする埋立て処理方法（例えば、特許文献１参照）が存在している。
また、被覆施設の設置方法として、埋立地全体を一つの構造物で覆うタイプと、埋立地を分割して一部の区画のみ覆い、埋立の進行に合わせて被覆施設を順次移設・移動していくタイプとがある。
【０００３】
【特許文献１】
特開２００２−１７７９１９（特許請求の範囲、図１、図４、図６、図７）
【０００４】
【発明が解決しようとする課題】
従来の廃棄物処分場における屋根設備は、蛇腹式テント屋根で、組み立ての際は、小面積の組立ヤードにより構築できる効果はあるが、埋立ピット全体を一つのテント屋根で覆うタイプの場合は、大容量の埋立地を造成できるため、スケールメリットによるイニシャルコストの低減が期待できる。また、被覆施設の移動がないので、一定の環境管理を継続すれば安定した環境保全が図られる。一方、換気および照明設備などの維持管理施設と環境保全施設とが大規模となり、施設の維持管理費が嵩む可能性もある。また、埋立ピットを分割して一部の区画毎に覆うタイプの場合は、埋立地を分割するための構造物が必要となるが、各埋立地が小規模となるため、被覆施設や浸出水処理設備などの建設費を軽減できる。また、埋立地として利用する範囲が制限でき、跡地利用および環境保全面で有利となる。さらに、小規模な埋立地となるため、管理が容易となる。しかし、天井の高さが変えられない、制作費が嵩むという欠点がある。
【０００５】
これに対して、本発明に係る廃棄物処分場を覆う屋根設備は、本発明者が既に発明をした特許第３１３１６８４号公報で示された廃棄物処分場の内面に、石灰系の固化剤を混入した泥を塗着して乾燥固化して不透水層を形成し、廃棄物は全て廃棄の度に改質・固化施設により改質・固化してから投入し、重機等により踏み固めて汚水が地下に浸透しない不透水層とし、その上面に溜った自然の雨水を貯め、ポンプアップして廃棄物の改質・固化施設に送り、この作業を繰り返してグランドレベル迄埋立て、その上部を改質・固化廃棄物を利用した盛土により埋立てた廃棄物処分場の埋立工法によって処理される埋立てピットを覆う廃棄物処分場を覆う屋根設備のため、換気および維持管理施設とが小規模で良く、施設の制作費用および維持管理費が安価ですむものである。また、埋立ピットの設置場所によって天井高さに制限があってもそれに対して自在に対応できるものである。
【０００６】
本発明は、このような事情に鑑み、換気、維持管理施設は不要であったり、小規模で良かったり、制作費が低減でき、天井高さも自由に変更できるという問題を解決した屋根設備を提案するものである。
【０００７】
【課題を解決するための手段】
本発明は、前記課題の解決を図ったもので、次のような技術手段を採用した。
請求項１記載の発明においては、廃棄物を投棄する埋立ピットを覆う角錐形状の屋根設備において、長尺細幅シートの一端部に適宜間隔でフックとしてのリング状ランナーを設け、他端部にはフックを有する弾性材からなる紐、シート等を設け、該長尺細幅シートを格子状に編んで被覆用シートを形成し、前記リング状ランナーを屋根設備の棒状案内部材に挿通して移動自在に設け、他端部のフックを床面に横架した横桟に取り付けてなるという技術手段を採用した。
【０００８】
請求項２記載の発明においては、先ず、長尺細幅シートの一端部に適宜間隔でフックとしてのリング状ランナーを設け、他端部にフックを有する弾性材の紐、シート等を取り付け、これを格子状に編み上げたならば、その編み上げた被覆用シートのリング状ランナーを角錐形状の各面の端部に形成した屋根設備の棒状案内部材に挿通して設け、他端部に取り付けた弾性材からなる紐、シート等の先端に設けたフックを床面に横架した横桟に取り付け、被覆用シートを前記角錐形状の屋根設備に設けた中央柱を案内に上下動させて、ピラミッド形状の屋根を構築するという技術手段を採用した。
【０００９】
【実施例】
先ず、本発明の廃棄物処分場について簡単に説明する。
ゴミ（主にリサイクルの輪から外れた可燃ゴミの焼却灰）を資源として活用するための廃棄物処分場である。これは「最終処分場」ではなく、「セメント原料の保管施設」で、貝殻と同じ「カルシウム」を用いて国土の環境保全に努めながら、安定した循環型社会を築いていくための廃棄物処分場である。
【００１０】
それは、図４に示すように埋立前の作業として選択した平坦な土地を掘削して埋立地１（掘削地）を形成し、その掘削土で外側に堰堤２を築き、基礎地盤に石灰石３を敷いて底部と側部に不透水層４を施し、上部に遮水シート５を張る。
【００１１】
次に、図５に示すように埋立中として、石灰系の薬剤で安定化した焼却灰６を埋め立て、埋立層の表面を防水シート７で覆い、掘削土で築いた堰堤２を崩して防水シート７の上部に覆土８を施し、さらに覆土８を保護するために法面を緑化９する。
【００１２】
さらに図６に示すように埋立後の作業として、覆土８の全面を緑化１０して石灰系の薬剤で安定化した焼却灰６を保管しながら、跡地を公園等に活用し、石灰系の薬剤で安定化した焼却灰６は循環型社会を築いてからセメント原料としてリサイクルするものである。
【００１３】
この廃棄物処分場（ゴミを捨てない保管型処分場）は選択した土地の広さにより、図７に示すように掘削広さに合わせて周囲を土堰堤２で覆うようにし、中央に水処理施設１１を設け、区画堤１２で略４等分して４つの埋立区画１３を形成して、順次石灰系の薬剤で安定化した焼却灰６を埋め立てて、４つの埋立区画１３を埋め立てるものである。さらに、図８に示すように区画するには、その土地に合わせて種々の形状が採用できる。
【００１４】
そして、黒色の部分は水処理施設、白色抜きの部分は区画された埋立区画で、（ａ）（ｂ）（ｃ）（ｅ）（ｇ）（ｈ）は４区画、（ｄ）は１８区画、（ｆ）は２６区画にしたものをそれぞれ示すものである。この他区画数は適宜選択できることはいうまでもない。
【００１５】
以下、本発明の一実施例を図１〜図３に基づいて詳細に説明する。
図１は、本発明の第一実施例を示し、基本的には中心に立設した支柱１４が高く、傾斜角が強い実施例で、例えば雪の多い地域に設置する場合に有効なものである。図２は、本発明の第二実施例で、中心に立設した支柱１４が比較的低く、傾斜角が弱い実施例で、雪がほとんど降らない地域に設置する場合に有効なものである。
【００１６】
第一、第二実施例の違いは、中心の支柱１４の高さが相違するだけで、その他は同一なので、まとめて説明する。
一実施例としては、図１〜図３に示すような屋根設備で、この屋根設備としてのテント式屋根構造物の構築の前に平坦な土地を掘削して４角形の埋立地１（図４を参照）（掘削地）を造成し、掘削土で外側に堰堤２を築き、前記埋立地１の中心に支柱１４を埋め込み立設し、該支柱１４を支えるために、堰堤２の外方に支柱支持梁１５を固定する支持柱１６を立設し、支柱１４を支持固定するものである。この支柱１４に上下動自在に移動する取付金具１７を設け、堰堤２に長尺細幅シート２１を格子状に編んだ被覆シート１８の端部を摺動自在に支持する被覆シート支持柱１９を設ける。この被覆シート支持柱１９の固定を補強するために各被覆シート支持柱１９を結び付けるように横桟２０が設けられている。これら支柱１４、支持柱１６、被覆シート支持柱１９は風圧に耐えるように種々の補強が施されることは設計上選択すべきものである。
【００１７】
また、長尺細幅シート２１を格子状に編んだ被覆シート１８の一実施例は図３に示すように構成されている。
この実施例は、平板状の長尺細幅シートの伸縮量がたらない場合の実施例として、凹凸状の長尺細幅シート２１に各々リング状ランナー２２を設ける。さらに前記凹凸状の長尺細幅シート２１の他端部にはフック２３を有する弾性材からなる紐２４、あるいはシート等を設け、この凹凸状の長尺細幅シート２１を格子状に編んで被覆用シート１８を形成するものである。なお、リング状ランナー２２およびフック２３を有する弾性材からなる紐２４は、凹凸状の長尺細幅シート２１の状態の内に取り付けても、被覆用シート１８に編み上げてから取り付けてもどちらでも可能である。
【００１８】
このような構成の被覆用シート１８に設けたリング状ランナー２２は、支柱１４と被覆シート支持柱１９間に懸架した案内棒２５に挿通する。このような構成なので、屋根の高さを変更するために支柱１４を介して被覆用シート１８を上下動すると、案内棒２５を案内にして、移動自在にスライドして屋根としての機能を奏するものである。この案内棒２５は、一端は取付金具１７に固設されているが、案内棒２５の他端は被覆シート支持柱１９あるいは横桟２０に対して、固設せずにフリー状態に取り付けることにより、被覆用シート１８が支柱１４を介して上下動させた際、支障なく機能するものである。
【００１９】
また、被覆用シート１８は凹凸状（波形状、蛇腹状等）の長尺細幅シートを格子状に編んだものであるので、伸縮自在で伸び縮みができ、しかも一端に設けた弾性材からなる紐２４により、張った状態を維持しながらフィットするものである。また、このフックを有する弾性材からなる紐２４は被覆シート支持柱１９間を結ぶ横桟２０に固設するか、ある程度移動自在に設けるものである。すなわち、支柱１４を介して取付金具１７を上下動させるにしたがって、被覆用シート１８は伸びたり縮んだりして、その高さにならって埋立地１を覆うようになるものである。
【００２０】
【発明の効果】
本発明は、以上の構成を採用した結果、次のような効果を得ることができる。（１）廃棄物処分場を覆う屋根設備の高さを自由に調整できるものである。
（２）廃棄物処分場を覆う屋根設備に対して、格子状に編んだ被覆用シートのため、換気および維持管理施設とが小規模で良いので設備費が廉価である。
（３）埋立ピットの設置場所の制約をうけることがなく、寒冷地、天井高さの制限にも簡単に対応できる。
【図面の簡単な説明】
【図１】本発明の第一実施例で、廃棄物処分場を覆う屋根設備を示す屋根傾斜を強くした概略正面図である。
【図２】本発明の第二実施例で、廃棄物処分場を覆う屋根設備を示す屋根傾斜を弱くした概略正面図である。
【図３】本発明の被覆用シートの形成状態を示す概略説明図である。
【図４】本発明の廃棄物処分場に廃棄物を埋め立てる前の状態を示す断面図である。
【図５】同じく廃棄物を埋め立て中の状態を示す断面図である。
【図６】同じく廃棄物を埋め立てた後の状態を示す断面図である。
【図７】本発明における廃棄物処分場の一形態を示す概略平面図である。
【図８】本発明における廃棄物処分場の他の形態を示す概略平面図である。
【符号の説明】
１‥‥埋立地                          ２‥‥堰堤
３・・・・石灰石                          ４・・・・不透水層
５・・・・遮水シート                      ６・・・・焼却灰
７・・・・防水シート                      ８・・・・覆土
９・・・・緑化                          １０・・・・緑化
１１・・・・水処理施設                    １２・・・・区画堤
１３・・・・埋立区画                      １４・・・・支柱
１５・・・・支柱支持梁                    １６・・・・支持柱
１７・・・・取付金具                      １８・・・・被覆シート
１９・・・・被覆シート支持柱              ２０・・・・横桟
２１・・・・凹凸状の長尺細幅シート        ２２・・・・リング状ランナー
２３・・・・フック                        ２４・・・・弾性材からなる紐
【図１】
2004344838.tif 000003
【図２】
2004344838.tif 000004
【図３】
2004344838.tif 000005
【図４】
2004344838.tif 000006
【図５】
2004344838.tif 000007
【図６】
2004344838.tif 000008
【図７】
2004344838.tif 000009
【図８】
2004344838.tif 000010